【手続補正書】
【提出日】平成20年2月12日(2008.2.12)
【手続補正１】
【補正対象書類名】特許請求の範囲
【補正対象項目名】全文
【補正方法】変更
【補正の内容】
【特許請求の範囲】
【請求項１】
１つ以上のファイルそれぞれに対応するファイル情報を表示するファイルリスト表示手段と、
前記ファイルリスト上の任意の位置を指定する操作を入力する位置指定入力部と、
前記位置指定入力部が入力した操作により指定される位置にウィンドウを表示するウィンドウ表示手段と、を備えて、
前記ウィンドウ表示手段は、
前記指定される位置の近傍において表示される前記ファイル情報を特定する特定手段と、
前記特定手段が特定した前記ファイル情報に対応する前記ファイルのファイル種別を判定する種別判定手段と、
前記特定手段が特定した前記ファイル情報に対応する前記ファイルが有するデータ内容と前記判定されたファイル種別とに基づき、当該データ内容を示す詳細情報を生成する詳細情報生成手段と、
前記生成された詳細情報を含む情報を出力する情報出力手段とを含み、
前記情報出力手段は、
前記種別判定手段が、前記ファイル種別は画像を含む表示データを指示すると判定した時、前記ウィンドウ内に、前記生成された詳細情報を表示する詳細表示手段を有する、ファイル情報出力装置。
【請求項２】
前記ウィンドウのサイズを、外部操作に応じて変更するサイズ変更手段をさらに備えて、
前記詳細表示手段は、前記サイズ変更手段による前記ウィンドウのサイズの変更に従い前記詳細情報の表示サイズを変更する、請求項１に記載のファイル情報出力装置。
【請求項３】
前記ウィンドウのサイズを、外部操作に応じて変更するサイズ変更手段をさらに備えて、
前記詳細情報生成手段は、前記特定手段が特定した前記ファイル情報に対応する前記ファイルのデータ内容と前記ファイル種別とに基づき、当該データ内容を示す複数種類の詳細情報を生成し、
前記詳細表示手段は、前記サイズ変更手段による前記ウィンドウのサイズの変更に従い表示する前記詳細情報の種類または数を変更する、請求項１または２に記載のファイル情報出力装置。
【請求項４】
前記特定手段は、前記任意の位置の近傍において表示される１または２以上の前記ファイル情報を特定し、
前記種別判定手段は、前記特定手段が特定した前記１または２以上のファイル情報それぞれに対応する前記ファイルのファイル種別を判定し、
前記詳細情報生成手段は、前記特定手段が特定した前記１または２以上のファイル情報に対応する前記ファイルそれぞれについて、当該ファイルのデータ内容と前記ファイル種別とに基づき生成された当該データ内容を示す詳細情報を生成し、
前記詳細出力手段は、
前記特定手段が特定した前記１または２以上の前記ファイル情報それぞれについて生成された前記詳細情報を出力する、請求項１から３のいずれか１項に記載のファイル情報出力装置。
【請求項５】
前記１つ以上のファイルには、前記データ内容に静止画データを含み、且つ前記ファイル種別が静止画の表示データを指示する静止画ファイルが含まれて、
前記詳細情報生成手段は、
前記特定手段が特定した前記ファイル情報に対応する前記ファイルが前記静止画ファイルである場合には、当該静止画ファイルのデータ内容と前記判定されたファイル種別とに基づき、前記静止画データに基づく縮小画像を含む前記詳細情報を生成する、請求項１から４のいずれか１項に記載のファイル情報出力装置。
【請求項６】
前記１つ以上のファイルには、前記データ内容に動画データを含み、且つ前記ファイル種別が動画の表示データを指示する動画ファイルが含まれて、
前記詳細情報生成手段は、
前記特定手段が特定した前記ファイル情報に対応する前記ファイルが前記動画ファイルである場合には、当該動画ファイルのデータ内容と前記判定されたファイル種別とに基づき、前記動画データに基づく縮小画像を含む前記詳細情報を生成する、請求項１から５のいずれか１項に記載のファイル情報出力装置。
【請求項７】
再生位置表示手段をさらに備えて、
前記再生位置表示手段は、
前記特定手段が特定した前記ファイル情報に対応する前記ファイルが前記動画ファイルである場合には、当該動画ファイルの前記動画データの再生開始から終了までの再生時間に応じた長さのスライドバーと、当該スライドバー上を外部操作に従い自在に移動するカーソルとを表示する、請求項６に記載のファイル情報出力装置。
【請求項８】
前記詳細情報生成手段は、
前記動画ファイルの前記動画データのうち、前記スライドバー上の前記カーソルの位置に対応する画像データに基づき前記縮小画像を生成する、請求項７に記載のファイル情報出力装置。
【請求項９】
音声出力手段をさらに備えて、
前記１つ以上のファイルには、前記データ内容に音楽データを含み、且つ前記ファイル種別は音楽を含む音声データを指示する音楽ファイルが含まれて、
前記詳細情報生成手段は、
前記特定手段が特定した前記ファイル情報に対応する前記ファイルが前記音楽ファイルである場合には、当該音楽ファイルのデータ内容と前記ファイル種別とに基づき、前記音楽データの一部分に基づく音声データを生成し、
前記情報出力手段は、
前記種別判定手段が、前記ファイル種別は音楽を含む音声データを指示すると判定した時、前記詳細情報生成手段が生成した音声データを、前記音声出力手段を介して出力する、請求項１から８のいずれか１項に記載のファイル情報出力装置。
【請求項１０】
前記情報出力手段は、
前記種別判定手段が、前記ファイル種別は音楽を含む音声データを指示すると判定した時、前記特定手段が特定した前記ファイル情報に対応する前記音楽ファイルの管理情報を、前記ウィンドウ内に、表示する、請求項９に記載のファイル情報出力装置。
【請求項１１】
前記管理情報は、前記音楽ファイルの音楽のアーティスト名またはアルバム名を含む、請求項１０に記載のファイル情報出力装置。
【請求項１２】
コンピュータにファイル情報出力方法を実行させるためのプログラムであって、
前記ファイル情報出力方法は、
ファイルリスト表示手段が、記憶部に記憶された１つ以上のファイルそれぞれに対応するファイル情報を、画面に表示するファイルリスト表示ステップと、
位置指定入力手段が、前記ファイルリスト表示ステップにより表示された前記画面の前記ファイルリスト上の任意の位置を指定する操作を入力する位置指定入力ステップと、
ウィンドウ表示手段が、前記位置指定入力ステップにより入力された操作により指定される位置にウィンドウを表示するウィンドウ表示ステップと、を備えて、
前記ウィンドウ表示ステップは、
特定手段が、前記指定される位置の近傍において表示される前記ファイル情報を特定する特定ステップと、
種別判定手段が、前記特定ステップにおいて特定した前記ファイル情報に対応する前記ファイルのファイル種別を判定する種別判定ステップと、
詳細情報生成手段が、前記特定ステップにおいて特定した前記ファイル情報に対応する前記ファイルのデータ内容と前記ファイル種別とに基づき、当該データ内容を示す詳細情報を生成する詳細情報生成ステップと、
情報出力手段が、前記生成された詳細情報を含む情報出力する情報出力ステップとを含み、
前記情報出力ステップでは、
前記種別判定ステップにおいて、前記ファイル種別は画像を含む表示データを指示すると判定した時、前記ウィンドウ内に、前記生成された詳細情報を表示する、ファイル情報出力プログラム。
【手続補正２】
【補正対象書類名】明細書
【補正対象項目名】００５２
【補正方法】変更
【補正の内容】
【００５２】
このようにして、スライドバー８０上のカーソル８１の移動が終了し、スライドバー８０におけるカーソル８１の位置が決定すると、その位置データをＣＰＵ７が読込み、縮小動画取得部２１に与える。縮小動画取得部２１は与えられる位置データに基づき、該動画ファイルのファイル管理情報５１で示される時間データ１７が示す時間期間における相対的な時刻を決定する。具体的には、スライドバー８０の長さは既知であるから、スライドバー８０の長さを時間データ１７が示す時間期間に対応させることで、カーソル８１の位置に対応の時刻を決定することができる。